(57)【要約】      （修正有）【課題】輸送費を抑え、掲示物の広告効果を高めることができる載置台を提供する。【解決手段】載置台は、１片の素材シートを谷折りにして立体構成され、掲示物固定用の切欠きを有する。載置台本体表面にフィルム被膜を蒸着する。【選択図】図２
0003158803.tif 000002
【実用新案登録請求の範囲】
【請求項１】
告知やパンフレット等宣伝媒体等を掲示するための台であり、構成部品は1片の板紙等を谷折りにして立体構成され、掲示物の固定用の切欠きがある事を特徴とする載置台である。
【請求項２】
請求項１記載の載置台において、この立体物の空きスペースに告知、広告等のための平面を持った事を特徴とする載置台である。
【請求項３】
請求項１記載の載置台において、掲示物自体の下部に本台を安定させるための切欠きを加工したシートを利用する事を特徴とする載置台である。
【請求項４】
請求項１記載の載置台において、本考案の耐久性を考慮して、本体表面にフィルム被膜を蒸着する事を特徴とする載置台である。
【考案の詳細な説明】
【技術分野】
【０００１】
本考案はパンフレット、写真、広告等を掲示する載置台に関するものである。
【背景技術】
【０００２】
従来、宣伝媒体として展示されるチラシ、カタログ、パンフレット等は、例えば、展示場の展示コーナーや販売店などの店頭では、立掛け配置する載置台によって掲示されている。
【考案の開示】
【考案が解決しようとする課題】
【０００３】
宣伝媒体等を立掛け配置するためには、その場所に宣伝媒体とは別に、常に載置台を準備しなければならない。これらの広告媒体と一緒に軽費で載置台を送ることができ、且つ広告媒体の広告価値を高める掲示ができれば、この広告効果は一層向上する。
【０００４】
本考案は、このような問題点を解消するためになされたもので、軽費で掲示場所へ送ることができ、特別な道具がなくても簡単に準備でき、広告媒体等の一層の広告効果を引き立てるための載置台を提供することにある。
【課題を解決するための手段】
【０００５】
請求項１に係る本考案は、板紙、発砲スチロール紙等素材シートの平面に、切り取り用に打ち抜きにより切り込み形成されて作られており、周辺の余分な部分は道具がなくても切り取りができ、本体を谷折りするだけで組み立てることが簡単にでき、本体の切欠き部が広告媒体等の固定用についている。組み立てる前は一片の平面のため輸送するにも容易で、かつ軽費で輸送可能である事を特徴とする。
【０００６】
請求項２に係る本考案は、請求項１記載の載置台において、上部に一定のスペースが存在するため、そこを告知用に文字やデザインを描くことができ、さらにその形状を何かのキャラクター状に形成することもできるため、単なる載置台の機能だけでなく、広告媒体そのものとして利用できるので、より一層の広告効果をあげることができる事を特徴とする。
【０００７】
請求項３に係る本考案は、請求項１の載置台において、利用する広告媒体等自体の下部に切欠きを作ることで、本台を安定して設置できるようにしている事を特徴とする。
【０００８】
請求項４に係る本考案は、請求項１の載置台において、繰返し利用する事を考慮して、谷折り部分の強度を増すため、本体表面にフィルム被膜を蒸着する事を特徴とする。
【考案の効果】
【０００９】
掲示用のスタンド等がなくても、広告媒体等を送る時に一緒に平板な状態の本考案の載置台を一緒に送れば、特別な道具等なくても、掲示用の台となり、且つその広告内容によって載置台の上部に文字やデザインを配することで、載置台自体も広告媒体となりうる。さらに、組み立て前の載置台は平板な物なので、広告媒体等と一緒に搬送することが簡単にでき、かつ軽費で簡単に準備が可能である。単なる一時的な掲示に使うだけでなく、繰返し利用されても耐久性があるので、さらに経費の節減につながる事ができる。
【考案を実施するための最良の形態】
【００１０】
以下、本考案を図面に基づいて説明する。 図１は本考案の載置台の平面展開図である。
素材である板紙や発泡スチロール紙等に容易に切り取りができるように図形ＡＢＣＤのような図形に沿って打ち抜き処理が施されている。∠ＡＤＣ及び∠ＢＣＤは９０°でもよいが、掲載物と設置条件によって掲示物を傾けた方がよい場合は、さらに鋭角にする。∠ＣＦＤは１８０°でもよいが、１８０°未満にすると、載置台自体を後傾することができる。Ｇ、Ｉは掲示物の下部固定用の切欠き、Ｈ，Ｊは掲示物の上部固定用の切欠きであるので、その距離は掲示物の縦長さによる。□ＡＢＨＪは告知、広告スペースとなるので、その利用状況によってＡ，Ｊ及びＢ，Ｈの距離は適当な長さとする。Ｃ、Ｇ及びＤ、Ｉの距離は掲示物の大きさや掲示状況によって適宜調整を必要とする。Ｅ，Ｆは二つ折りにし易くするため、谷折りの半切折込罫線を施している。以上の構成からなる載置台である。
【００１１】
次に組み立て要領の説明をする。
素材シートの打ち抜きに従い、ＡＢＣＤを切り抜く。次にＥＦの谷折りの半切り折込罫線に従い二つ折りにする。
【００１２】
出来上がりを正面上から見ると図２、横から見ると図３のようになる。
【００１３】
切り取り用の打ち抜き線及び谷折り用の半切折込罫線が正確に処理できておれば、道具も不要で簡単に作業することができる。
【００１４】
以上により簡単に本考案の載置台が組み立てられる。
【００１５】
実際の掲示例は図４の通りである。
【００１６】
掲示物自体は図５のＫ，Ｌの様に下部に切欠きを入れておけば、本体のＩ，Ｇとかみ合い、さらに一層載置台が安定する。
【００１７】
図４の実施例をさらに発展させ、図６の様に本体上部を図形やキャラクター等の形状に加工すればさらに宣伝効果が上がる載置台が提供できる。
【００１８】
なお、本考案の載置台を軽く、小さな形状で作れば、掲示物と一緒に封書による発送も可能となり、経費の削減につながる事となる。
【００１９】
素材についてはその他段ボール紙等でもよいし、重量を気にしなければ、他の素材でも応用できる。板紙、発泡スチロール紙、段ボール紙、ポリエチレン紙等さまざまな素材が対象となり、掲示用途に応じ適する素材を採用すればよい。
【図面の簡単な説明】
【００２０】
【図１】本考案の載置台の平面展開図
【図２】本考案の載置台の組み立て斜視図
【図３】本考案の載置台の組み立て側面図
【図４】本考案の掲示物が配置された載置台の斜視図（実施例１）
【図５】掲示物の例正面図
【図６】本考案の掲示物が配置された載置台の斜視図（実施例２）
【符号の説明】
【００２１】
Ａ.    載置台左上
Ｂ.    載置台右上
Ｃ.    載置台右下
Ｄ.    載置台左下
Ｅ.    載置台中央上
Ｆ.    載置台中央下
Ｇ.    掲載物固定用切欠き右下
Ｈ．   掲載物固定用切欠き右上
Ｉ.    掲載物固定用切欠き左下
Ｊ．   掲載物固定用切欠き左上
Ｋ．   掲示物例固定用切欠き左
Ｌ.    掲示物例固定用切欠き右
【図１】
0003158803.tif 000003
【図２】
0003158803.tif 000004
【図３】
0003158803.tif 000005
【図４】
0003158803.tif 000006
【図５】
0003158803.tif 000007
【図６】
0003158803.tif 000008
【手続補正書】
【提出日】平成22年2月16日(2010.2.16)
【手続補正１】
【補正対象書類名】実用新案登録請求の範囲
【補正対象項目名】全文
【補正方法】変更
【補正の内容】
【実用新案登録請求の範囲】
【請求項１】
告知やパンフレット等掲示物を掲示するための台であり、構成部品は1片の素材シートを谷折りにして立体構成され、掲示物の固定用の切欠きがある事を特徴とする載置台。
【請求項２】
請求項１記載の載置台において、載置台自体に着色したり文字やデザインを描く事を特徴とする載置台。
【請求項３】
請求項１記載の載置台において、本体表面にフィルム被膜を蒸着する事を特徴とする載置台。
【手続補正２】
【補正対象書類名】明細書
【補正対象項目名】全文
【補正方法】変更
【補正の内容】
【考案の詳細な説明】
【技術分野】
【０００１】本考案はパンフレット、写真、広告等を掲示する載置台に関するものである。
【背景技術】
【０００２】従来、掲示物として展示されるチラシ、カタログ、パンフレット等は、例えば、展示場の展示コーナーや販売店などの店頭では、立掛け配置する載置台によって掲示されている。
【考案の開示】
【考案が解決しようとする課題】
【０００３】掲示物を立掛け配置するためには、その場所に掲示物とは別に、常に載置台を準備しなければならない。これらの掲示物と一緒に軽費で載置台を送ることができ、且つ掲示物の広告価値を高める掲示ができれば、この広告効果は一層向上する。【０００４】 本考案は、このような問題点を解消するためになされたもので、軽費で掲示場所へ送ることができ、特別な道具がなくても簡単に準備でき、掲示物の一層の広告効果を引き立てるための載置台を提供することにある。
【課題を解決するための手段】
【０００５】請求項１に係る本考案は、板紙、発砲スチロール紙等素材シートの平面に、切り取り用に打ち抜きにより切り込み形成されて作られており、周辺の余分な部分は道具がなくても切り取りができ、本体を谷折りするだけで組み立てることが簡単にでき、本体の切欠き部が掲示物の固定用についている。組み立てる前は一片の平面のため輸送するにも容易で、かつ軽費で輸送可能である事を特徴とする。【０００６】請求項２に係る本考案は、請求項１記載の載置台において、上部に一定のスペースが存在するため、そこを告知用に着色したり文字やデザインを描くことができ、さらにその形状を何かのキャラクター状に形成することもできるため、単なる載置台の機能だけでなく、掲示物そのものとして利用できるので、より一層の広告効果をあげることができる事を特徴とする。【０００７】請求項３に係る本考案は、請求項１の載置台において、繰返し利用する事を考慮して、谷折り部分の強度を増すため、本体表面にフィルム被膜を蒸着する事を特徴とする。
【考案の効果】
【０００８】掲示用のスタンド等がなくても、掲示物を送る時に一緒に平板な状態の本考案の載置台を一緒に送れば、特別な道具等なくても、掲示用の台となり、且つその広告内容によって載置台の上部に文字やデザインを配することで、載置台自体も掲示物となりうる。さらに、組み立て前の載置台は平板な物なので、掲示物と一緒に搬送することが簡単にでき、かつ軽費で簡単に準備が可能である。単なる一時的な掲示に使うだけでなく、繰返し利用されても耐久性があるので、さらに経費の節減につながる事ができる。
【考案を実施するための最良の形態】
【０００９】以下、本考案を図面に基づいて説明する。 図１は本考案の載置台の平面展開図である。素材シートである板紙や発泡スチロール紙等に容易に切り取りができるように図形ＡＢＣＤのような図形に沿って打ち抜き処理が施されている。∠ＡＤＣ及び∠ＢＣＤは９０°でもよいが、掲示物と設置条件によって掲示物を傾けた方がよい場合は、さらに鋭角にする。∠ＣＦＤは１８０°でもよいが、１８０°未満にすると、載置台自体を後傾することができる。Ｇ、Ｉは掲示物の下部固定用の切欠き、Ｈ，Ｊは掲示物の上部固定用の切欠きであるので、その距離は掲示物の縦長さによる。□ＡＢＨＪは告知、広告スペースとなるので、その利用状況によってＡ，Ｊ及びＢ，Ｈの距離は適当な長さとする。Ｃ、Ｇ及びＤ、Ｉの距離は掲示物の大きさや掲示状況によって適宜調整を必要とする。Ｅ，Ｆは二つ折りにし易くするため、谷折りの半切折込罫線を施している。以上の構成からなる載置台である。【００１０】次に組み立て要領の説明をする。素材シートの打ち抜きに従い、ＡＢＣＤを切り抜く。次にＥＦの谷折りの半切り折込罫線に従い二つ折りにする。【００１１】出来上がりを正面上から見ると図２、横から見ると図３のようになる。【００１２】切り取り用の打ち抜き線及び谷折り用の半切折込罫線が正確に処理できておれば、道具も不要で簡単に作業することができる。【００１３】以上により簡単に本考案の載置台が組み立てられる。【００１４】実際の掲示例は図４の通りである。【００１５】掲示物自体は図５のＫ，Ｌの様に下部に切欠きを入れておけば、本体のＩ，Ｇとかみ合い、さらに一層載置台が安定する。【００１６】  図４の実施例をさらに発展させ、図６の様に本体上部を図形やキャラクター等の形状に加工すればさらに宣伝効果が上がる載置台が提供できる。【００１７】なお、本考案の載置台を軽く、小さな形状で作れば、掲示物と一緒に封書による発送も可能となり、経費の削減につながる事となる。【００１８】素材についてはその他段ボール紙等でもよいし、重量を気にしなければ、他の素材でも応用できる。板紙、発泡スチロール紙、段ボール紙、ポリエチレン紙等さまざまな素材が対象となり、掲示用途に応じ適する素材を採用すればよい。
【図面の簡単な説明】
【００１９】
【図１】本考案の載置台の平面展開図
【図２】本考案の載置台の組み立て斜視図
【図３】本考案の載置台の組み立て側面図
【図４】本考案の掲示物が配置された載置台の斜視図（実施例１）
【図５】掲示物の例正面図
【図６】本考案の掲示物が配置された載置台の斜視図（実施例２）
【符号の説明】
【００２０】Ａ.      載置台左上Ｂ.      載置台右上Ｃ.      載置台右下Ｄ.      載置台左下Ｅ.      載置台中央上Ｆ.      載置台中央下Ｇ.      掲示物固定用切欠き右下Ｈ．   掲示物固定用切欠き右上Ｉ.      掲示物固定用切欠き左下Ｊ．   掲示物固定用切欠き左上Ｋ．   掲示物例固定用切欠き左Ｌ.      掲示物例固定用切欠き右